(57)【特許請求の範囲】
【請求項１】
上方に付勢された開閉筒を上下摺動可能としてそれぞれ装着した二本の注出筒を立設し、注出筒と連通するように二つの容器をそれぞれ取付部材を介して取付けたケース基体と、ケース基体に取着されたケースカバーと、ケースカバーに廻動自在に取着された操作カバーとを具えた二容器収納ケースであって、
操作カバーをいずれかの方向に廻動させることによって、所望する容器を装着した側の開閉筒をケースカバーから突出させ、開閉筒の注出孔を開口するようにしたことを特徴とする二容器収納ケース。
【請求項２】
注出筒は、内周上端にリブを介して栓体を連接しており、
開閉筒は、注出筒の栓体が係合する注出孔を設けた頂壁と、側周壁と、側周壁から突出する肩壁を具えており、
肩壁とケース基体との間にばねが弾装されていることを特徴とする請求項１記載の二容器収納ケース。
【請求項３】
ケース基体に取着される二つの容器が、係止突起を設けた口筒部と、直線部と楕円弧部からなる断面形状を有する胴部と底部を具えており、
注出筒が上面に立設されたケース基体の上壁の下面に、前記容器の口筒部の上端部が接合し、前記容器の胴部と底部の直線部の側面同士が互いに隣接するように、ケース基体に取着されていることを特徴とする請求項１記載の二容器収納ケース。
【請求項４】
二つの容器をケース基体に取着する取付部材が、上端にケース基体に設けた取付リングに係合する係止環を設け、下端の内周に係合突起を設け、外周に摘みを設けた筒体によって構成され、
筒体を廻動させることにより、前記係合突起を、容器口筒部外周に設けた係止突起に係脱自在としたことを特徴とする請求項１〜３のいずれかに記載の二容器収納ケース。
【請求項５】
二つの容器の底部を結束するために係止部材が設けられ、
係止部材は、底壁と結束した容器の底部外周に設けられた嵌合部に嵌合する側壁を具えており、
側壁の長径方向側面に、容器の嵌合部に設けられた係合突起に係止する突条を内面に設けた押圧片を設けたことを特徴とする請求項１〜４のいずれかに記載の二容器収納ケース。
【発明の詳細な説明】
【０００１】
【発明の属する技術分野】
本発明は、二容器収納ケース、とくにいずれかの容器を選択して内容液を注出できるようにした二容器収納ケースに関する。
【０００２】
【発明が解決しようとする課題】
異なる内容液を入れた二つの容器の収納ケースは、従来より知られているが、従来のケースは、二つの容器を収納するというだけで、使用にあたっては、ケースから所要の容器を取出し、注出するようにしていた。
【０００３】
本発明は、収納ケースに二つの容器を組込み、使用にあたって、いずれかの容器を選択して容器の注出口を収納ケースから突出させ、収納ケースを持って、所要の容器から内容液を注出するようにすることを第１の課題とする。
さらに、内容液を注出し終わった容器と、新しい容器との取替えが簡単にできるようにすることを第２の課題とし、新規な二容器収納ケースを提供することを目的とする。
【０００４】
【課題を解決するための手段】
本発明は、上記の課題を解決するため、二容器収納ケースとして、上方に付勢された開閉筒を上下摺動可能としてそれぞれ装着した二本の注出筒を立設し、注出筒と連通するように二つの容器をそれぞれ取付部材を介して取付けたケース基体と、ケース基体に取着されたケースカバーと、ケースカバーに廻動自在に取着された操作カバーとを具えた二容器収納ケースであって、操作カバーをいずれかの方向に廻動させることによって、所望する容器を装着した側の開閉筒をケースカバーから突出させ、開閉筒の注出孔を開口するようにしたことを特徴とする構成を採用する。
【０００５】
開閉筒を装着した注出筒の実施形態として、注出筒は、内周上端にリブを介して栓体を連接しており、開閉筒は、注出筒の栓体が係合する注出孔を設けた頂壁と、側周壁と、側周壁から突出する肩壁を具えており、肩壁とケース基体との間にばねが弾装されていることを特徴とする構成を採用する。
【０００６】
ケース基体に取着される容器の実施形態として、ケース基体に取着される二つの容器が、係止突起を設けた口筒部と、直線部と楕円弧部からなる断面形状を有する胴部と底部を具えており、注出筒が上面に立設されたケース基体の上壁の下面に、前記容器の口筒部の上端部が接合し、前記容器の胴部と底部の直線部の側面同士が互いに隣接するように、ケース基体に取着されていることを特徴とする構成を採用する。
【０００７】
二容器の取付部材の実施形態として、二つの容器をケース基体に取着する取付部材が、上端にケース基体に設けた取付リングに係合する係止環を設け、下端の内周に係合突起を設け、外周に摘みを設けた筒体によって構成され、筒体を廻動させることにより、前記係合突起を、容器口筒部外周に設けた係止突起に係脱自在としたことを特徴とする構成を採用する。
【０００８】
二容器の係止部材の実施形態として、二つの容器の底部を結束するために係止部材が設けられ、係止部材は、底壁と結束した容器の底部外周に設けられた嵌合部に嵌合する側壁を具えており、側壁の長径方向側面に、容器の嵌合部に設けられた係合突起に係止する突条を内面に設けた押圧片を設けたことを特徴とする構成を採用する。
【０００９】
【発明の実施の形態】
次に、本発明の二容器収納ケースを、図面を参照して説明する。
図１〜３において、Ａａ，Ａｂは容器、Ｂはケース基体、Ｃは取付部材、Ｄは容器Ａａ，ｂの係止部材、Ｅはケースカバー、ＦはケースカバーＥに取着された操作カバーである。
【００１０】
図４，５に示すように、容器Ａａ，Ａｂは、口筒部１と肩部２、胴部３と底部４とからなっており、口筒部１には、ねじ５と係止突起６が設けられている。
肩部２と胴部３の横断面は、直線部７と楕円弧部８とから形成され、肩部２の楕円弧部８周縁には、円周に沿って段部９が設けられている。
胴部３は、断面形状を同一として下方になるにしたがって縮小されており、その下端には段部１０が設けられ、その下方は縮径され、嵌合部１１となっている。
嵌合部１１の長径側の側面には、一定角度範囲の係止凹部１２が形成されており、係合突起１３が突設されている。
【００１１】
図６に示すように、ケース基体Ｂは、楕円形状の上壁１５と側壁１６とを具えており、上壁１５には、二つの注出筒１７が立設されている。
それぞれの注出筒１７内周には、複数のリブ１８を介して棒状の栓体１９が連設されており、各リブ１８の間は、液流路２０となっている。
注出筒１７の上端は、外方に傾斜し、締め代を形成する突出環２１となっており、注出筒１７外周の所定位置には、係止環２２が突設されている。
【００１２】
注出筒１７の外周には、開閉筒２３が上下摺動自在に嵌挿されており、該開閉筒２３は、上端をドーム状にした頂壁２４と側周壁２５、および側周壁２５の下端から外方に突出する肩壁２６と、該肩壁２６から垂設された内筒２７と外筒２８とからなっている。
【００１３】
頂壁２４の上端には、栓体１９に嵌合する注出孔２９が穿孔されており、肩壁２６下面と上壁１５との間には、圧縮ばね３０が弾装され、開閉筒２３を上方に付勢している。
内筒２７の内周には、注出筒１７の外周に係合する係合環３１が突設され、係止環２２に係合して開閉筒２３が最上昇位置に位置決めされるようになっている。
【００１４】
上壁１５の下面には、注出筒１７と偏心した位置に容器Ａの口筒部１の内周に嵌合し、容器Ａ内部を密封する密封リング３２と、その外側に位置し、下端外周に係合環３３を設けた取付リング３４が垂設されている。
【００１５】
側壁１６は、上壁１５外周の内側に周縁に沿って垂設された内筒３５と、該内筒３５の下端から外方に突出させた段部３６と、段部３６の外周縁から垂設された外周壁３７とからなり、外周壁３７の長径側のそれぞれの周面には、一定巾の切欠部３８が穿設されている。
【００１６】
図７に示すように、取付部材Ｃは、上端に内方に突出する係止環４０を設けた筒体４１を具えており、筒体４１の下端には、容器Ａの係止突起６と係合可能な係合突起４２が設けられ、外周には、ケース基体Ｂ外周壁３７の切欠部３８内で摺動可能とした摘み４３が突設されている。
【００１７】
図８に示すように、係止部材Ｄは、楕円形の底壁４５と、底壁４５の周縁から立設された側壁４６とを具えており、側壁４６の長径側の側面には、二つの切込み４７が上下から入れられ、中央部を連結部４８とした押圧片４９が設けられている。
押圧片４９の裏面の上部には、係合突起１３に係合する突条５０が設けられている。
【００１８】
図９に示すように、ケースカバーＥは、側周壁６０と頂壁６１とを具えており、側周壁６０は、断面が楕円形の円筒部６０ａと円筒部６０ａから上方に縮径された楕円形状のドーム部６０ｂとから形成され、ドーム部６０ｂの上面は切截されて頂壁６１に続いている。
【００１９】
頂壁６１には、注出筒１７が嵌挿される円形の開口６２が穿孔されており、側周壁６０には、開口６２の周縁に達する複数のリブ６３ａ，ｂ、６４ａ，ｂが突設されている。
それぞれのリブ６３ａ，ｂ、６４ａ，ｂには、段部６５が設けられており、リブ６３ａ，ｂ、６４ａ，ｂの下端６６は、上壁１５に接するようになっている。
【００２０】
側周壁６０の短径側内周には、頂壁６１から段部６５までの高さに等しい隔板６７が架設されており、隔板６７の中心から開口６２内周まで延びるリブ６８が設けられている。
側周壁６０の下端には膨出環６９が設けられ、該膨出環６９は、上壁１５の下側に係合するとともに、側周壁６０下端面７０を段部３６に接合するようにしている。
側周壁６０の短径側の外周面には、ドーム部６０ｂの断面の円弧中心に突出軸７１が突設されている。
【００２１】
図１０に示すように、操作カバーＦは、ケースカバーＥのドーム部６０ｂと同形の形状とした被蓋部７５と、その下端に設けられた軸孔７６ａを穿孔した軸受け７６とを具えており、被蓋部７５の長径方向の両端には、押圧部７７ａ、７７ｂが設けられている。
被蓋部７５の中央断面の円弧は、ドーム部６０ｂの円弧と同形となっている。
【００２２】
操作カバーＦの軸受け７６は、ケースカバーＥの突出軸７１に軸支され、長径方向に廻動可能となっており、被蓋部７５の端部がケースカバーＥの円筒部６０ａに接合するときには、図１０（ｃ）に示すように、円筒部端部６０ｃで廻動が阻止されるようになっている。
すなわち、円筒部６０ａがストッパーの役割を果たしているのであるが、ドーム部６０ｂの適宜の位置に、ストッパーを設けてもよい。
【００２３】
次に、本発明の収納ケースの使用態様と、作用効果について説明する。
本発明収納ケースは、飲料、化粧料、整髪料等で、二種の異なる液を注出できるようにするために使用され、容器Ａａ、Ａｂには、それぞれ異なる内容液が収納される。
収納ケースは、まず、二容器をケース基体Ｂに取付け、次いで、該ケース基体Ｂに、操作カバーＦを取付けたケースカバーＥを被着することで組立てられる。
【００２４】
容器Ａのケース基体Ｂへの取付にあたっては、図２において、取付部材Ｃの摘み４３を持って、右方向に廻動させ、摘み４３を切欠部３８の右端に接合させると、取付部材Ｃが開放位置に位置することになり、そこで、容器Ａの胴部３の直線部７を内側にして容器Ａａ、Ａｂを押し込む。
【００２５】
その際、二つの容器Ａａ、Ａｂの口筒部１の係止突起６は、長径方向線上に位置して、取付部材Ｃの係合突起４２に妨げられないので、口筒部１内周を取付リング３４の外周に嵌合させることができる。
次いで、取付部材Ｃの摘み４３を左方向に廻動させ、切欠部３８の左端に接合させると、取付部材Ｃを閉鎖位置に位置させ、係合突起４２を口筒部１の係止突起６の下面に係合させて、容器Ａａ、Ａｂを強固に締着することができる。
【００２６】
次に、二つの容器Ａの底部４の嵌合部１１に、係止部材Ｄを嵌合させると、係止部材Ｄの押圧片４９に設けた突条５０が嵌合部１１の係合突起１３に係合して二つの容器を一体に係合する。
【００２７】
ケースカバーＥの被嵌にあたっては、側周壁６０の下端の膨出環６９がケース基体Ｂの上壁１５周縁の下面に係合し、リブ６３ａ，ｂ、６４ａ，ｂの下端６６が上壁１５の上面に接合し、側周壁６０が段部３６に接合して、ケースカバーＥはケース基体Ｂに強固に嵌着される。
【００２８】
収納ケースの使用にあたって、図１１に示すように、操作カバーＦを一方に開くと、一方の開閉筒２３が圧縮ばね３０により上方に上昇して操作カバーＦの被蓋部７５より突出し、頂壁２４の注出孔２９が開放される。
その際、内筒２７の係合環３１が注出筒１７の係止環２２に係合し、開閉筒２３は、最上昇位置に位置決めがされる。
【００２９】
次に、内容液の注出にあたっては、開閉筒２３の注出孔２９を所望する方向に向け、収納ケースを振ったり、胴部３を押圧すると、注出孔２９から内容液を注出することができる。
また、他方の内容液を注出したいときには、操作カバーＦを反対方向に廻動させると、他方の容器の開閉筒２３が上昇し、同様にして内容液を注出することができる。
【００３０】
内容液を使い切った場合には、係止部材Ｄの押圧片４９の下端を押圧すると、押圧片４９が連結部４８を軸として廻動し、容器Ａａ、Ａｂの係合突起１３と係止部材Ｄの突条５０が外され、係止部材Ｄを簡単に取外すことができる。
【００３１】
次に、取付部材Ｄの摘み４３をつかんで開閉位置に廻動すると、容器Ａの係止突起６から係合突起４２が外れ、容器Ａを引き下げると、容器Ａをケース基体Ｂから取外すことができる。
次いで、新しい容器を、前述したように、ケース基板Ｂに取付ることによつて、二容器を結合したケースとして再び使用することができる。
【００３２】
容器をケース基体に取付ける取付部材は、前記実施形態では、ケース基体に特定形状の容器を取付けるために用いられているが、従来公知の容器に、注出部材を取着するための取付部材として採用することができる。
容器として、実施形態と同様に、口筒部に係合突起を設け、胴部が円形または楕円形の容器を採用し、前記実施形態の上壁に変えて、口筒部天面に接合する環状板を用い、環状板の外周縁より内側に、下端に係合環を設けた取付リングを垂設し、環状板の内周縁に沿って注出筒その他の注出部材を立設する。
【００３３】
取付部材として、前記実施形態と同一の構成を有する取付部材を用い、取付リングに廻動自在に取付けて、摘みを持って廻動させることによって、口筒部の係止突起と取付部材の係合突起を係脱させ、容器と注出部材を取着、取外しすることができる。
【００３４】
【発明の効果】
本発明は、上記のように構成されているから、次の効果を奏する。
二容器を取着したケース基体に、上方に付勢された開閉筒を具えた注出筒を立設し、ケースカバーに取付けた操作カバーによって開閉筒の頂壁を開放、閉鎖するようにしているから、開閉筒の注出孔を開閉して所望の容器から内容液を注出することができる。
【００３５】
また、容器の取付部材を用いて、二容器をケース基体に着脱可能としたから、内容液を使い切ったときに、簡単に取替えることができるようになった。
【図面の簡単な説明】
【図１】  本発明収納ケースの一部断面正面図である。
【図２】  収納ケースの側面図である。
【図３】  収納ケースの説明図で、（ａ）は上面図、（ｂ）は底面図である。
【図４】  容器の正面図である。
【図５】    容器の説明図で、（ａ）は上面図、（ｂ）は底面図である。
【図６】    ケース基体の説明図で、（ａ）は断面正面図、（ｂ）は底面図である。
【図７】    取付部材の説明図で、（ａ）は断面正面図、（ｂ）は上面図である。
【図８】    係止部材の説明図で、（ａ）は一部断面正面図、（ｂ）は側面図、（ｃ）は上面図である。
【図９】    ケースカバーの説明図で、（ａ）は断面正面図、（ｂ）は底面図である。
【図１０】    操作カバーの説明図で、（ａ）は正面図、（ｂ）は側面図、（ｃ）は位置決め位置の説明図である。
【図１１】    開閉筒の突出時の説明図である。
【符号の説明】
Ａａ，ｂ    容器
Ｂ          ケース基体
Ｃ          取付部材
Ｄ          係止部材
Ｅ          ケースカバー
Ｆ          操作カバー
１          口筒部
２          肩部
３          胴部
４          底部
５          ねじ
６          係止突起
７          直線部
８          楕円弧部
９          段部
１０        段部
１１        嵌合部
１２        係止凹部
１３        係合突起
１５        上壁
１６        側壁
１７        注出筒
１９        栓体
２３        開閉筒
２４        頂壁
２５        側周壁
２９        注出孔
３２        密封リング
３４        取付リング
３７        外周壁
３８        切欠部
４０        係止環
４１        筒体
４２        係合突起
４３        摘み
４７        切込み
４９        押圧片
５０        突条
６０        側周壁
６０ａ      円筒部
６０ｂ      ドーム部
６１        頂壁
６２        開口
７５        被蓋部
７６        軸受け
７７ａ，ｂ  押圧部
【図１】
0004451047.tif 000002
【図２】
0004451047.tif 000003
【図３】
0004451047.tif 000004
【図４】
0004451047.tif 000005
【図５】
0004451047.tif 000006
【図６】
0004451047.tif 000007
【図７】
0004451047.tif 000008
【図８】
0004451047.tif 000009
【図９】
0004451047.tif 000010
【図１０】
0004451047.tif 000011
【図１１】
0004451047.tif 000012